(57)【要約】【課題】  発呼時或いは通話時にメールデータを送受信可能な電話装置において、メールデータの送受信機能を最大限利用し、電話装置の使い勝手を向上する。【解決手段】  携帯電話装置は、外部からメロディデータと文字列データとを外部操作によって入力し（１１０〜１４０）、他の電話装置を呼び出す発信指令を入力すると（１５０）、メロディデータと文字列データとをメロディ送信データにエンコードして（１８０）、呼出先の電話番号と一緒に、電話回線網に発信する（１９０）。この結果、着呼側の電話装置には、電話回線網から、メロディデータと文字列データとを付与した呼出信号が送信されることになり、着呼側では、呼出信号に付与されたメロディデータをデコードして着信音として再生することにより、発呼者を直感的に知ることができるようになる。また、表示装置に発呼者からのメッセージを表示させて用件等を確認することもできる。尚、メッセージとメロディとからなるメールデータの送信を通話中に行うようにしてもよい。【選択図】        図３
2009050028.tif 000002
【特許請求の範囲】
【請求項１】
発呼者側の電話装置から、呼出先の電話番号に任意のメールデータを付与した発呼信号が
発信されると、該発呼信号中の電話番号に対応した着呼者側の電話装置に対して、前記メ
ールデータを付与した呼出信号を送信するように構成された電話回線網において使用され
る電話装置であって、前記発呼信号の発信指令を入力するための発信指令入力手段と、任
意のメロディを各音毎に符号化したメロディデータを入力するためのメロディデータ入力
手段と、該メロディデータ入力手段からメロディデータが入力された状態で、前記発信指
令入力手段から前記発呼信号の発信指令が入力されると、前記メールデータとして前記メ
ロディデータを呼出先の電話番号に付与して発呼信号を生成し、該発呼信号を前記電話回
線網に発信する発呼手段と、を備えたことを特徴とする電話装置。
【請求項２】
発呼者側の電話装置から、呼出先の電話番号に任意のメールデータを付与した発呼信号が
発信されると、該発呼信号中の電話番号に対応した着呼者側の電話装置に対して、前記メ
ールデータを付与した呼出信号を送信するように構成された電話回線網において使用され
る電話装置であって、前記電話回線網から前記呼出信号を受けると、該呼出信号に、前記
メールデータとして、メロディを各音毎に符号化したメロディデータが付与されているか
否かを判断するデータ付与判定手段と、該データ付与判定手段にて、前記呼出信号に前記
メールデータとして前記メロディデータが付与されていると判断されると、該メロディデ
ータに従いメロディを生成してスピーカを鳴動させ、前記データ付与判定手段にて前記呼
出信号に前記メロディデータが付与されていないと判断されると、予め設定された着信音
生成用データに従い着信音を生成してスピーカを鳴動させる着信音発生手段と、を備えた
ことを特徴とする電話装置。
【請求項３】
前記メロディデータに付与する任意の文字データからなるメッセージデータを入力するた
めのメッセージデータ入力手段を備え、前記発呼手段は、前記発呼信号を前記電話回線網
に発信する際、前記メロディデータ入力手段及び前記メッセージデータ入力手段から前記
メロディデータ及び前記メッセージデータが入力されている場合には、前記メールデータ
として該メロディデータ及びメッセージデータを呼出先の電話番号に付与して発呼信号を
生成し、該発呼信号を前記電話回線網に発信することを特徴とする請求項１に記載の電話
装置。
【請求項４】
前記データ付与判定手段にて、前記呼出信号に前記メールデータとして前記メロディデー
タが付与されていると判断されると、該メールデータに文字データからなるメッセージデ
ータが含まれているか否かを判断し、該メッセージデータが含まれる場合には、該メッセ
ージデータを構成する文字データに従い表示装置にメッセージを表示するメッセージ表示
手段、を備えたことを特徴とする請求項２に記載の電話装置。
【請求項５】
外部から入力される着信音データ登録指令に従い、前記各入力手段から入力されたメロデ
ィデータ及びメッセージデータを、着信音データとして、複数の着信音データを記憶可能
な着信音データ記憶手段に登録する着信音データ登録手段と、外部から入力される着信音
データ選択指令に従い、前記着信音データ記憶手段に登録された複数の着信音データの中
から一つの着信音データを選択する着信音データ選択手段と、外部から着信音変更指令が
入力されると、前記着信音データ選択手段にて選択された着信音データを構成するメロデ
ィデータを、前記電話回線網から前記呼出信号を受けたときにスピーカから着信音を発生
させるための着信音生成用データとして設定する着信音設定手段と、前記着信音データ登
録指令，前記着信音データ選択指令，及び前記着信音変更指令を、夫々、外部操作によっ
て入力するための指令入力手段と、を備え、前記発呼手段は、前記着信音データ選択手段
にて着信音データが選択されているときに、前記発信指令入力手段から前記発呼信号の発
信指令が入力されると、前記メールデータとして該選択された着信音データを呼出先の電
話番号に付与して前記発呼信号を生成し、該発呼信号を前記電話回線網に発信することを
特徴とする請求項３に記載の電話装置。
【請求項６】
前記呼出信号に付与されたメールデータを受信データとして記憶する受信データ記憶手段
と、外部から入力される受信データ検索指令に従い、前記受信データ記憶手段に記憶され
た受信データを検索し、該検索した受信データ中のメロディデータに従いメロディを生成
してスピーカを鳴動させると共に、該検索した受信データに前記メッセージデータが含ま
れる際には、該メッセージデータを構成する文字データに従い、前記表示装置にメッセー
ジを表示する受信データ検索手段と、外部から入力される受信データ登録指令に従い、前
記受信データ検索手段にて検索された受信データを、着信音データとして、複数の着信音
データを記憶可能な着信音データ記憶手段に登録する受信データ登録手段と、外部から入
力される着信音データ選択指令に従い、前記着信音データ記憶手段に登録された複数の着
信音データの中から一つの着信音データを選択する着信音データ選択手段と、外部から着
信音変更指令が入力されると、前記着信音データ選択手段にて選択された着信音データを
構成するメロディデータを、前記着信音生成用データとして設定する着信音設定手段と、
前記受信データ検索指令，前記受信データ登録指令，及び前記着信音変更指令を、夫々、
外部操作によって入力するための指令入力手段と、を備えたことを特徴とする請求項４に
記載の電話装置。
【請求項７】
電話回線網を介して接続される他の電話装置に送信すべき文字列からなるメッセージデー
タを記憶するメッセージデータ記憶手段と、前記他の電話装置との通話中又は前記他の電
話装置を呼び出す発呼時に、前記他の電話装置にメールデータを送信させる送信指令を入
力するための送信指令入力手段と、該送信指令入力手段からメールデータの送信指令が入
力されると、前記メッセージデータ記憶手段からメッセージデータを読み出し、該メッセ
ージデータをメールデータとして前記他の電話装置に送信するメールデータ送信手段と、
を備えた電話装置において、任意のメロディを各音毎に符号化したメロディデータを前記
メールデータの一つとして入力するためのメロディデータ入力手段を設け、更に、前記メ
ールデータ送信手段を、前記メロディデータ入力手段からメロディデータが入力された状
態で、前記送信指令入力手段からメールデータの送信指令が入力されると、該メロディデ
ータと前記メッセージデータとを前記メールデータとして前記他の電話装置に送信するよ
う構成してなることを特徴とする電話装置。
【請求項８】
電話回線網を介して接続された他の電話装置から送信されてきたメールデータを受信する
メールデータ受信手段と、該メールデータ受信手段にて受信された前記メールデータを記
憶するメールデータ記憶手段と、該メールデータ記憶手段に記憶されたメールデータの読
出指令を入力するための読出指令入力手段と、該読出指令入力手段から前記受信メールの
読出指令が入力されると、前記受信データ記憶手段から前記メールデータを読み出し、該
メールデータを構成する文字列を他の電話装置からのメッセージとして表示装置に表示す
るメールデータ読出手段と、を備えた電話装置において、前記メールデータ読出手段が読
み出したメールデータに、任意のメロディを各音毎に符号化したメロディデータが含まれ
るか否かを判断する受信データ判定手段と、該受信データ判定手段にて前記メールデータ
にメロディデータが含まれると判断されると、該メロディデータに従いメロディを生成し
てスピーカを鳴動させるメロディ再生手段と、を備えたことを特徴とする電話装置。
【請求項９】
前記メールデータ送信手段は、前記メールデータをＤＴＭＦ信号からなる送信信号に変換
して前記他の電話装置に送信することを特徴とする請求項７に記載の電話装置。
【請求項１０】
前記メールデータ受信手段は、他の電話装置から送信されてきたＤＴＭＦ信号を受信し、
該ＤＴＭＦ信号を前記メールデータに変換することを特徴とする請求項８に記載の電話装
置。
【発明の詳細な説明】
【技術分野】
【０００１】
本発明は、他の電話装置を呼び出す発呼時又は他の電話装置との通話時に、他の電話装
置に対して任意のメールデータを送信する送信機能、及び該メールデータを受信する受信
機能、を有する電話装置に関する。
【背景技術】
【０００２】
従来より、携帯電話装置用の電話回線網が行うサービスの一つとして、発呼者側の電話
装置から、呼出先の電話番号に任意のメールデータを付与した発呼信号が発信されると、
その電話番号に対応した着呼者側の電話装置に対して、そのメールデータを付与した呼出
信号を送信することで、着呼者側で、発呼者側からのメールデータを利用できるようにし
たメール転送サービスが知られている。
【０００３】
そして、こうした電話回線網においてメール転送サービスを享受し得る電話装置として
、発呼時には、数十〜百数字程度の短い文字列からなるメッセージデータを電話番号に付
与した発呼信号を電話回線網に発信でき、電話回線網から呼出信号を受けて着信音を発生
する着呼時には、呼出信号にメッセージデータが付与されていれば、そのメッセージデー
タに従い、ＬＣＤ等の表示装置にメッセージを表示するように構成された電話装置が知ら
れている。
【０００４】
また、電話装置によっては、電話回線網を介して接続された通話先の電話装置との間で
、通話中にメールデータを送受信できるようにしたものも知られている。そして、この種
の電話装置は、使用者が、通話中にメールデータの送信又は受信を指令することで、送信
側の電話装置が予めメールデータとして登録されたメッセージデータを送信し、受信側の
電話装置がそのメールデータを受信してメモリ等に記憶するようにされている。
【発明の開示】
【発明が解決しようとする課題】
【０００５】
しかし、上記従来の電話装置において、発呼時又は通話時に送受信可能なメールデータ
は、文字列からなるメッセージデータに限られていた。このため、例えば、発呼時にメー
ルデータを送信した際、着呼者側では、着信音が鳴る度に、表示画面を見て、電話をかけ
てきた相手やメッセージの有無等を確認しなければならず、使い勝手が悪いとか、或いは
、例えば、誕生日のお祝いのメッセージを送信する際に、所望のメロディを付与したい、
というような要求に応えることができず、任意のメールデータを送受信可能であるにもか
かわらず、その機能を充分利用することができない、といった問題があった。
【０００６】
本発明は、こうした問題に鑑みなされたもので、メールデータを送受信可能な電話装置
において、メールデータの送受信機能を利用できるようにすることで、電話装置の使い勝
手を向上することを目的とする。
【課題を解決するための手段】
【０００７】
かかる目的を達成するためになされた請求項１に記載の電話装置は、任意のメロディを
各音毎に符号化したメロディデータを入力するためのメロディデータ入力手段を備え、こ
のメロディデータ入力手段からメロディデータが入力された状態で、発信指令入力手段か
ら発呼信号の発信指令が入力されると、発呼手段が、メロディデータ入力手段から入力さ
れたメロディデータを呼出先の電話番号に付与して発呼信号を生成し、その発呼信号を電
話回線網に発信する。
【０００８】
このため、請求項１に記載の電話装置によれば、電話回線網のメール転送サービスを利
用して、所望の電話装置に対して、呼出信号と共にメロディデータを送信することができ
る。一方、請求項２に記載の電話装置においては、電話回線網から呼出信号を受けると、
データ付与判定手段が、その呼出信号に、メールデータとして、メロディを各音毎に符号
化したメロディデータが付与されているか否かを判断し、着信音発生手段が、データ付与
判定手段にて呼出信号にメールデータとしてメロディデータが付与されていると判断され
ると、そのメロディデータに従いメロディを生成してスピーカを鳴動させ、データ付与判
定手段にて呼出信号にメロディデータが付与されていないと判断されると、予め設定され
た着信音生成用データに従い着信音を生成してスピーカを鳴動させる。
【０００９】
このため、請求項２に記載の電話装置によれば、呼出信号にメロディデータが付与され
ている場合には、呼出信号を受けた際に発する着信音が、着信音生成用データにより生成
される電話装置固有の着信音から、呼出信号に付与されたメロディデータに対応した着信
音に自動で変更される。
【００１０】
従って、前述のメール転送サービスを行う電話回線網において、発呼者が請求項１に記
載の電話装置を使用し、着呼者が請求項２に記載の電話装置を使用すれば、電話回線網の
メール転送サービスを利用して、発呼者側から着呼者側の着信音を変更することが可能に
なり、着呼者側では、従来のように表示画面を確認することなく、電話をかけてきた相手
を、着信音から直感的に知ることができるようになり、極めて使い勝手のよい電話システ
ムを構築できる。
【００１１】
そして、特に、請求項１及び請求項２に記載の構成要素を備えた電話装置を構成すれば
、その電話装置は、メロディデータの送信機能とメロディデータ受信時の着信音変更機能
とを持つことになり、電話回線網のメール転送サービスをより有効に利用できることにな
る。
【００１２】
尚、メロディデータ入力手段としては、例えば、コンピュータや電子楽器等を用いて作
曲したメロディデータを信号線等を介して外部から入力できるように構成してもよいが、
より好ましくは、電話装置単体で使用者が所望のメロディデータを作成できるようにする
とよい。つまり、例えば、電話装置の操作部を操作して、メロディを構成する各音の音階
や長さを順に指定することによりメロディデータを入力できるように構成すれば、電話装
置単体でメロディデータを作成できるようになり、好ましい。
【００１３】
次に、請求項３に記載の電話装置は、請求項１に記載の電話装置に、メロディデータに
付与する任意の文字データからなるメッセージデータを入力するためのメッセージデータ
入力手段を設け、発呼信号を電話回線網に発信する際、メロディデータ入力手段及びメッ
セージデータ入力手段からメロディデータ及びメッセージデータが入力されている場合に
は、発呼手段が、その入力されたメロディデータ及びメッセージデータを電話番号に付与
して発呼信号を生成し、その発呼信号を電話回線網に発信するように構成したものである
。
【００１４】
このため、請求項３に記載の電話装置によれば、請求項１に記載の電話装置のように、
所望の電話装置に対して、呼出信号と共にメロディデータを送信できるだけでなく、メッ
セージデータ入力手段からメッセージデータを入力しておけば、メロディデータにメッセ
ージデータを付与したメールデータを送信できる。
【００１５】
一方、請求項４に記載の電話装置は、請求項２に記載の電話装置に、メッセージ表示手
段を設け、データ付与判定手段にて呼出信号にメロディデータが付与されていると判断さ
れると、そのメールデータに文字データからなるメッセージデータが含まれているか否か
を判断して、メッセージデータが含まれる場合には、そのメッセージデータを構成する文
字データに従い表示装置にメッセージを表示するようにしたものである。
【００１６】
このため、請求項４に記載の電話装置によれば、請求項２に記載の電話装置のように、
呼出信号にメロディデータが付与されている場合に、着信音をそのメロディデータに対応
した着信音に変更できるだけでなく、メロディデータにメッセージデータが付与されてい
る際には、そのメッセージデータに対応したメッセージを表示装置に表示できる。
【００１７】
従って、前述のメール転送サービスを行う電話回線網において、発呼者が請求項３に記
載の電話装置を使用し、着呼者が請求項４に記載の電話装置を使用すれば、電話回線網の
メール転送サービスを利用して、発呼者側から着呼者側の着信音を変更できるだけでなく
、必要に応じて、発呼者側から着呼者側の表示装置に所望のメッセージを表示させること
ができる。そして、この場合、着呼者は、着信音から電話をかけてきた相手を把握できる
ので、例えば、その相手が重要なメッセージを送信してくる場合にだけ表示画面を見る、
というように、表示画面を見るか見ないかを着信音から判定できるようになり、電話装置
の使い勝手が向上する。
【００１８】
そして、特に請求項３及び請求項４に記載の電話装置の構成要素を一つの電話装置に持
たせれば、その電話装置において、メロディデータだけのメールデータ或いはメロディデ
ータとメッセージデータとからなるメールデータの送信と受信を行うことが可能になり、
請求項１及び請求項２に記載の電話装置の機能を一つの電話装置に持たせた場合に比べて
、電話回線網のメール転送サービスをより有効に利用できることになる。
【００１９】
尚、メッセージデータ入力手段としては、メロディデータ入力手段と同様、例えば、コ
ンピュータやワードプロセッサ等を用いて作成した文書データをメッセージデータとして
、信号線等を介して外部から入力できるように構成してもよいが、例えば、電話装置の操
作部を操作して、文字データを順に入力することによりメッセージデータを入力できるよ
うに構成すれば、電話装置単体でメッセージデータを作成できるようになり、好ましい。
【００２０】
次に、請求項５に記載の電話装置は、請求項３に記載の電話装置に、着信音データ登録
手段，着信音データ選択手段，着信音設定手段，及び指令入力手段を設けたものであり、
指令入力手段を介して外部から着信音データ登録指令が入力されると、着信音データ登録
手段が、その指令に従い、メロディデータ入力手段及びメッセージデータ入力手段からの
入力データを着信音データとして着信音データ記憶手段に登録し、指令入力手段を介して
外部から着信音データ選択指令が入力されると、着信音データ選択手段が、その指令に従
い、着信音データ記憶手段に登録された複数の着信音データの中から一つの着信音データ
を選択する。
【００２１】
そして、指令入力手段を介して外部から着信音変更指令が入力されると、着信音設定手
段が、着信音データ選択手段にて選択された着信音データを構成するメロディデータを、
電話回線網から呼出信号を受けたときにスピーカから着信音を発生させるための着信音生
成用データとして設定し、着信音データ選択手段にて着信音データが選択されているとき
に、発信指令入力手段から発呼信号の発信指令が入力されると、発呼手段が、その選択さ
れた着信音データをメールデータとして電話番号に付与して発呼信号を生成し、その発呼
信号を電話回線網に発信する。
【００２２】
つまり、請求項５に記載の電話装置は、呼出先の電話装置にメールデータとして送信す
るメロディデータ（又はメロディデータ及びメッセージデータ）を、着信音データとして
、着信音データ記憶手段に登録しておくことにより、その登録した着信音データに含まれ
るメロディデータを自己の着信音を生成するための着信音生成用データとして設定したり
、次に発呼信号を発信する際に電話番号に付与するメールデータとして再利用することが
できるようにされている。
【００２３】
このため、請求項５に記載の電話装置によれば、呼出先の電話装置に対して、複数のメ
ロディデータ（又はメロディデータ及びメッセージ）の中から所望のデータを選択して送
信することができると共に、その複数のメロディデータにて発生可能な着信音の中から、
気に入った着信音を選択して、自己の着信音として設定できる。
【００２４】
また、着信音データには、メロディデータだけでなくメッセージデータも含めることが
できるので、メッセージデータとして曲名等，メロディの内容等を表す文字データを入力
しておき、着信音データ選択指令の入力時には、そのメッセージデータを表示装置に表示
するようにすれば、所望のメロディを簡単に選択できることになる。
【００２５】
一方、請求項６に記載の電話装置は、請求項４に記載の電話装置に、受信データ記憶手
段，受信データ検索手段，受信データ登録手段，着信音データ選択手段，着信音設定手段
，及び指令入力手段を設けたものであり、電話回線網から呼出信号を受けると、受信デー
タ記憶手段が、その呼出信号に付与されたメロディデータ又はメロディデータとメッセー
ジデータとからなるメールデータを受信データとして記憶する。
【００２６】
そして、指令入力手段を介して外部から受信データ検索指令が入力されると、受信デー
タ検索手段が、その指令に従い、受信データ記憶手段に記憶された受信データを検索して
、検索した受信データ中のメロディデータに従いメロディを生成してスピーカを鳴動させ
ると共に、検索した受信データにメッセージデータが含まれる際にはそのメッセージデー
タを構成する文字データに従いメッセージを表示装置に表示し、更に、指令入力手段を介
して外部から受信データ登録指令が入力されると、受信データ登録手段が、受信データ検
索手段にて検索・選択された受信データを、着信音データとして着信音データ記憶手段に
登録する。
【００２７】
また、指令入力手段を介して外部から着信音データ選択指令が入力されると、着信音デ
ータ選択手段が、その指令に従い、着信音データ記憶手段に登録された複数の着信音デー
タの中から一つの着信音データを選択し、更に、指令入力手段を介して外部から着信音変
更指令が入力されると、着信音設定手段が、着信音データ選択手段にて選択された着信音
データを構成するメロディデータを、着信音生成用データとして設定する。
【００２８】
つまり、請求項６に記載の電話装置は、電話回線網から、メロディデータのみからなる
メッセージデータ，或いはメロディデータとメッセージデータとからなるメールデータを
付与した呼出信号を受けた際に、そのメールデータを受信データとして記憶しておくこと
により、後から受信データ検索指令を入力してその内容を確認できるようにし、更に、そ
の検索により確認した受信データに含まれるメロディデータがよければ、その受信データ
を着信音データ記憶手段に登録しておき、必要に応じて、その登録した着信音データ中の
メロディデータを自己の着信音を生成するための着信音生成用データとして設定できるよ
うにされている。
【００２９】
このため、請求項６に記載の電話装置によれば、発呼者側の電話装置から送信されてき
たメロディデータ（又はメロディデータ及びメッセージ）を、後から確認できると共に、
そのメロディデータにより得られる着信音が気に入れば、その着信音を自己の着信音とし
て設定することができ、発呼者側より送信されてきたデータを有効に利用することが可能
になる。
【００３０】
また特に、請求項５及び請求項６に記載の電話装置の構成要素を備えた電話装置を構成
すれば、その電話装置において、発呼者側からメールデータとして送信されてきたメロデ
ィデータを一旦着信音データとして登録しておくことにより、そのメロディデータを、そ
の後の発呼時に呼出先の電話装置に送信するメールデータとして使用することが可能にな
り、他の電話装置との間で送受信するメロディデータを、より有効に利用することが可能
になる。
【００３１】
尚、本発明（請求項１〜請求項６）は、上述のメール転送サービスを行う電話回線網に
接続できる電話装置であれば、電話回線網に無線により接続される移動体用の電話装置（
例えば携帯電話装置）であっても、また、電話回線網に伝送線を介して接続される固定用
の電話装置であっても適用できる。
【００３２】
一方、請求項７に記載の電話装置は、電話回線網を介して接続される他の電話装置に送
信すべき文字列からなるメッセージデータを記憶するメッセージデータ記憶手段を備え、
他の電話装置との通話中又は他の電話装置を呼び出す発呼時に、送信指令入力手段からメ
ールデータの送信指令が入力されると、メールデータ送信手段が、メッセージデータ記憶
手段からメッセージデータを読み出し、これをメールデータとして他の電話装置に送信す
る。また本発明（請求項７）の電話装置にも、上記請求項１，３，５に記載の電話装置と
同様、メロディデータを入力するためのメロディデータ入力手段が備えられ、このメロデ
ィデータ入力手段からメロディデータが入力された状態で、送信指令入力手段からメール
データの送信指令が入力されると、このメロディデータとメッセージデータとをメールデ
ータとして、他の電話装置に送信する。
【００３３】
このため、請求項７に記載の電話装置によれば、他の電話装置に対して、メールデータ
として、メッセージデータ若しくはメッセージデータにメロディデータを付与したデータ
を送信することができる。そして、特に、請求項７に記載の電話装置によれば、上記請求
項１，３，５に記載の電話装置とは異なり、発呼時に限らず、通話中にも送信指令が入力
されて、メールデータを送信するように構成されることから、上述のメール転送サービス
を行う電話回線網以外の電話回線網
であっても適用できる。
【００３４】
尚、上述のメール転送サービスを行う電話回線網以外の電話回線網としては、発呼時に
限らず、通話中にも、メールデータの送受信が可能な電話回線網であればよいが、メール
データをデジタル信号のまま送信するようにしていると、使用可能な電話回線網が限られ
ることから、好ましくは、請求項９に記載のように、メールデータ送信手段を、メールデ
ータをＤＴＭＦ信号からなる送信信号に変換して他の電話装置に送信するように構成する
とよい。
【００３５】
つまり、ＤＴＭＦ(dual tone multi frequency) は、押しボタンダイヤル式電話機にお
いて使用される信号であり、音声周波数帯域の２つの周波数の組み合わせにて構成される
ことから、電話回線網の種類によらず、どのような電話回線網でもメロディデータを送受
信できる。従って、メールデータ送信手段を請求項９に記載のように構成すれば、発呼時
でも通話中でも電話回線網が行うサービスに影響されることなく他の電話装置に対してメ
ールデータを送信できることになる。
【００３６】
また次に、請求項８に記載の電話装置においては、メールデータ受信手段が、電話回線
網を介して接続された他の電話装置から送信されてきたメールデータを受信し、メールデ
ータ記憶手段が、その受信されたメールデータを記憶する。そして、読出指令入力手段か
ら、メールデータ記憶手段に記憶されたメールデータの読出指令が入力されると、メール
データ読出手段が、受信データ記憶手段からメールデータを読み出し、このメールデータ
を構成する文字列を他の電話装置からのメッセージとして表示装置に表示する。また、メ
ールデータ読出手段が、受信データ記憶手段からメールデータを読み出すと、受信データ
判定手段が、その読み出したメールデータに、任意のメロディを各音毎に符号化したメロ
ディデータが含まれるか否かを判断し、受信データ判定手段にてメールデータにメロディ
データが含まれると判断されると、メロディ再生手段が、そのメロディデータに従いメロ
ディを生成してスピーカを鳴動させる。
【００３７】
従って、請求項８に記載の電話装置によれば、他の電話装置からメールデータとしてメ
ッセージデータが送信されてきた場合に、メールデータの読出指令を入力する使用者の指
示に従いメッセージを表示装置に表示でき、しかも、その表示の際に、メッセージデータ
にメロディデータが付与されていれば、そのメロディデータに対応したメロディを再生し
て、使用者に聞かせることができる。
【００３８】
従って、請求項７に記載の電話装置と請求項８に記載の電話装置とを利用すれば、請求
項７に記載の電話装置の使用者が、請求項８に記載の電話装置の使用者に対して、発呼時
又は通話時に所望のメロディを付与したメッセージを送り、請求項８に記載の電話装置の
使用者が、必要に応じて、そのメロディ付メッセージを読み出す、といったことが可能に
なり、各電話装置におけるメールデータの送受信機能を極めて有効に利用することができ
るようになる。
【００３９】
尚、請求項８に記載の電話装置において、メールデータ受信手段としては、上記請求項
９に記載の電話装置に対応して、請求項１０に記載のように、他の電話装置から送信され
てきたＤＴＭＦ信号を受信し、このＤＴＭＦ信号をメールデータに変換するよう構成する
ことが好ましい。つまり、このように構成すれば、請求項９に記載の電話装置との間で、
電話回線網の種類に影響されることなく、どのような電話回線網を使用しても、メールデ
ータをいつでも送受信ことが可能になり、使い勝手を向上できる。
【発明の効果】
【００４０】
本発明によれば、使い勝手を向上した電話装置を提供することができる。
【発明を実施するための最良の形態】
【００４１】
以下に本発明の一実施例を図面と共に説明する。図１は本発明（詳しくは請求項１〜請
求項６）が適用された実施例の携帯電話装置１の回路構成を表すブロック図であり、図２
はその携帯電話装置１を操作部側から見た外観図である。
【００４２】
本実施例の携帯電話装置１は、前述のメール転送サービスを行う電話回線網において使
用するためのものであり、図２に示す如く、一般的な携帯電話装置と同様、片手で持って
操作でき、且つ携帯に便利なように長尺状に形成されている。そして、その中央部には、
操作部２として、呼出先の電話番号を入力するための「０〜９，＊，＃」のテンキーと、
携帯電話装置１の動作モードを切り換えたり各種指令を入力するための各種機能キーとか
らなる多数のキースイッチが配置されている。また、この操作部２の下方には、通話時に
使用者が音声を入力するためのマイクロフォン５が設けられ、操作部２の上方には、他の
電話装置から送信されてきたメッセージや、携帯電話装置１の操作案内，動作状況等を表
示するための液晶表示装置（ＬＣＤ）からなる表示部３が設けられ、更に、その上方には
、通話時に耳を当てて電話回線網や通話相手から送られてくる音声信号を再生するための
スピーカ４が設けられている。また、このスピーカ４より上方の先端部には、伸縮可能に
形成されたロッドアンテナ６が設けられ、このロッドアンテナ６を介して、電話回線網側
の基地局との間で無線通信ができるようにされている。
【００４３】
尚、操作部２を構成する各種キーは、本発明の発信指令入力手段，メロディデータ入力
手段，メッセージデータ入力手段，指令入力手段として機能する。そして、図２において
、テンキーには「０〜９，＊，＃」の記号が付与されているが、テンキーは、後述のメロ
ディ入力時に「ド，レ，ミ，…」といった音階を入力したり、メッセージ入力時に文字を
入力するのにも使用される。
【００４４】
一方、携帯電話装置１には、図１に示すように、通話用のスピーカ４とは別に、電話回
線網から呼出信号が送信されてきたときに着信音を発生したり、他の案内音を発生して、
使用者を呼び出すためのスピーカ８が内蔵されている。また、携帯電話装置１内には、ア
ンテナ６を介して基地局との間で無線通信を行うための送受信部１２、後述の着信音デー
タを記憶する着信音データ記憶手段としての着信音記憶部１４、電話回線網からの呼出信
号に付与された他の電話装置からのメールデータを受信データとして記憶する、受信デー
タ記憶手段としての受信データ記憶部１６、コンピュータ等の他の装置との間でデータを
入出力するためのインタフェース部（以下、Ｉ／Ｆ部という）１８、及び、上記各部に接
続されて、各種制御処理を行うための制御部１０も設けられている。
【００４５】
制御部１０は、ＣＰＵ，ＲＯＭ，ＲＡＭ等からなるマイクロコンピュータを中心に構成
されており、一般的な携帯電話装置としての機能を実現するための各種制御処理、即ち、
送受信部１２から電話回線網に対して、他の電話装置を呼び出すための発呼信号を送信さ
せる発呼処理、基地局から呼出信号が送信されてきたときにスピーカ８から着信音を発生
させる受信処理、着信音の発生により使用者が携帯電話装置１を電話回線網に接続する指
令を入力した際に、送受信部１２を介して当該携帯電話装置１を電話回線網に接続させる
接続処理、発呼処理により呼出先の電話装置が電話回線網に接続されて、その着呼者側の
電話装置との通話が可能になったときや、接続処理により当該携帯電話装置１が電話回線
網に接続されて、発呼者側の電話装置との通話が可能になったときに、使用者がマイクロ
フォン５から入力した音声信号を送受信部１２から基地局側に送信したり、電話回線網（
換言すれば着呼者側の電話装置）から送信されてきた音声信号にて、スピーカ４から音声
を発生させる音声入出力処理等を実行する。
【００４６】
また、制御部１０は、電話回線網のメール転送サービスを有効に利用するために、発呼
時に、電話回線網を介して、呼出先の電話装置にメッセージデータを送信したり、電話回
線網から呼出信号を受けた着呼時に、その呼出信号に付与されたメッセージデータに従い
、発呼者側からのメッセージを表示部３に表示する、一般的なメッセージ送受信用の処理
に加えて、使用者が作曲したメロディデータを、電話回線網を介して、呼出先の電話装置
に送信したり、着呼時に、電話回線網からの呼出信号に付与されたメロディデータに対応
した着信音を発生させるメロディデータ送受信用の処理を実行する。
【００４７】
以下、こうしたメロディデータの送受信のために制御部１０において実行される制御処
理について、図３〜図７のフローチャートに沿って説明する。尚、制御部１０には、こう
したデータ通信を行うために、メッセージデータやメロディデータを送信用の信号に変換
するエンコーダ１０ａ、及び受信信号からメッセージデータやメロディデータを復元する
デコーダ１０ｂが内蔵されている。
【００４８】
まず図３は、本実施例の携帯電話装置１において着信音を生成するのに使用したり、他
の電話装置を呼び出す際にメールデータとして送信するための着信音データを作成する着
信音データ作成処理を表す。この処理は、使用者が操作部２に設けられた機能選択用のキ
ーを操作して、当該装置の動作モードを着信音作成モードに設定した際に実行される処理
であり、処理が開始されると、まずＳ１１０（Ｓはステップを表す）にて、使用者が操作
部２のテンキー（このときテンキーはメロディデータ入力手段として機能する）を操作し
て、所望のメロディを構成する各音毎に「ド，レ，ミ…」といった音階又は休止を表す音
階データとその長さ（時間）を表す長さデータとを順に入力してくるのを受け付ける、メ
ロディ入力処理を実行する。そして、続くＳ１２０では、使用者が操作部２の確定キーを
操作してメロディ入力の終了指令を入力したか否かを判定し、終了指令が入力されていな
ければ、再度Ｓ１１０に移行することにより、使用者がメロディ入力を終了するのを待つ
。
【００４９】
次に、Ｓ１２０にてメロディ入力の終了指令が入力されたと判断されると、今度は、Ｓ
１３０に移行して、使用者が操作部２のテンキー（このときテンキーはメッセージデータ
入力手段として機能する）を操作することにより、先に入力したメロディの曲名或いはこ
のメロディと一緒に呼出先の電話装置に送信するメッセージ等の文字列を入力するのを受
け付ける、文字列入力処理を実行する。そして、続くＳ１４０では、使用者が操作部２の
確定キーを操作して文字列入力の終了指令を入力したか否かを判定し、終了指令が入力さ
れていなければ、再度Ｓ１３０に移行することにより、使用者が文字列入力を終了するの
を待つ。
【００５０】
尚、Ｓ１１０のメロディ入力処理及びＳ１３０の文字列入力処理の実行中には、その入
力用の案内や、使用者が入力した音階，その長さ，文字列等を表す画像を表示部３に表示
する。次に、Ｓ１４０にて文字列入力の終了指令が入力されたと判断されると、今度は、
Ｓ１５０に移行して、使用者が操作部２の発信キー（発信指令入力手段に相当）を操作す
ることにより、他の電話装置を呼び出す発信指令を入力したか否かを判断し、発信指令が
入力されていなければ、続くＳ１６０に移行して、使用者が操作部２の所定の機能キーを
操作することにより、着信音データの登録指令を入力したか否かを判断する。そして、使
用者がこの登録指令を入力していなければ、再度Ｓ１５０に移行し、Ｓ１５０及びＳ１６
０の処理を繰り返し実行することにより、使用者が発信指令又は登録指令を入力するのを
待つ。尚、この待機状態で、使用者が終了キーを操作すれば、そのまま当該処理を終了す
る。
【００５１】
次に、Ｓ１６０にて、使用者が着信音データの登録指令を入力したと判断されると、続
くＳ１７０に移行して、Ｓ１１０のメロディ入力処理で受け付けた音階データと長さデー
タとの組み合わせからなるメロディデータと、Ｓ１３０で受け付けた曲名又はメッセージ
を表す文字列データとを、一つの着信音データとして、着信音記憶部１４に登録する、着
信音データ登録手段としての処理を実行し、当該処理を終了する。
【００５２】
尚、着信音記憶部１４はメモリからなり、登録可能な着信音データ数は限られるため、
この登録時に空き容量がなければ、既に登録された着信音データの記憶領域に新たな着信
音データを上書きすることになるが、着信音データの上書きや新規登録等は登録番号を指
定することにより行われる。
【００５３】
一方、Ｓ１５０にて、使用者が発信指令を入力したと判断されると、Ｓ１８０に移行し
て、Ｓ１１０のメロディ入力処理で受け付けた上記メロディデータとＳ１３０で受け付け
た文字列データ（この場合、文字列が曲名であっても呼出先の電話装置に対するメッセー
ジデータとなる）とから、電話回線網を介して呼出先の電話装置に送信可能なメロディ送
信データを、エンコーダ１０ａにて作成する。そして、続くＳ１９０では、使用者が操作
部２を操作することにより入力又は指定してくる電話番号に上記メロディ送信データを付
与した発呼信号を生成し、この発呼信号を送受信部１２から電話回線網に発信させる、発
呼手段としての発呼処理を実行し、当該処理を終了する。
【００５４】
尚、この発呼処理により電話回線網に送信されるメロディ送信データは、電話回線網が
メールデータとして認識可能なデータ構造になっており、図８（ａ）に示す如く、データ
内容を表すヘッダと、上記入力された文字列に対応するメッセージデータと、上記入力さ
れたメロディデータとから構成される。また、メッセージデータは、図８（ｂ）に示すよ
うに、文字列を構成する各文字を表す文字コードと、その先頭にヘッダとして付与した文
字数を表すデータ長とから構成され、メロディデータは、図８（ｃ）に示すように、メロ
ディを構成する各音の音階又は休止を表す音階データとその長さ（時間）を表す長さデー
タとからなる音符情報と、その先頭にヘッダとして付与した音符数を表すデータ長とから
構成される。
【００５５】
次に、図４は、着信音記憶部１４に登録された着信音データを用いて着信音を発生させ
ることにより、その着信音を当該携帯電話装置１において通常使用する標準着信音として
設定する着信音再生・変更処理を表す。この処理は、本発明の着信音データ選択手段及び
着信音設定手段としての機能を有する処理であり、使用者が操作部２に設けられた機能選
択用のキーを操作して、着信音変更指令を入力した際に実行される。そして、処理が開始
されると、まずＳ２１０にて、着信音記憶部１４に登録されている着信音データの登録番
号等を表示部３に表示することにより、着信音データの登録状況を使用者に案内する。
【００５６】
次に、Ｓ２２０では、表示部３に表示した案内画像を見て、使用者が操作部２のテンキ
ーを操作することにより、再生したい着信音の登録番号を着信音データ選択指令として入
力するのを受け付ける、登録番号入力処理を実行し、続くＳ２３０にて、使用者が入力し
た登録番号に対応した着信音データを着信音記憶部１４から読み出し、その着信音データ
に含まれる文字列データを表示部３に表示する。尚、Ｓ２３０では、着信音データに文字
列データが設定されていなければ、文字列データが存在しない旨を表示する。
【００５７】
また続くＳ２４０では、上記読み出した着信音データに含まれるメロディデータに従い
メロディを生成して、スピーカ８を鳴動させる、メロディ再生処理を実行し、続くＳ２５
０にて、その再生したメロディを、その後、当該装置で使用する標準の着信音として設定
し（換言すれば、今回メロディの再生に用いたメロディデータを着信音生成用のデータと
して設定し）、当該処理を終了する。
【００５８】
また次に、図５は、着信音記憶部１４に登録された着信音データをメールデータとして
呼出先の電話装置に送信するメロディ送信処理を表す。この処理は、本発明（特に請求項
５）の着信音データ選択手段及び発呼手段としての機能を有する処理であり、使用者が操
作部２に設けられた機能選択用のキーを操作して、当該装置の動作モードを着信音データ
の送信モードに設定した際に実行される。そして、この処理が開始されると、まずＳ３１
０にて、上記Ｓ２１０と同様に、着信音記憶部１４への着信音データの登録状況を使用者
に案内し、続くＳ３２０にて、上記Ｓ２２０と同様に、使用者が操作部２を操作してメー
ルデータとして送信したい着信音の登録番号を着信音データ選択指令として入力するのを
受け付ける、登録番号入力処理を実行する。
【００５９】
また、続くＳ３３０では、上記Ｓ２３０と同様に、使用者が入力した登録番号に対応し
た着信音データに含まれる文字列データを表示部３に表示する。そして、続くＳ３４０で
は、上記読み出した着信音データに含まれるメロディデータの内、発呼信号として送信可
能な量のデータに従いメロディを生成して、スピーカ８を鳴動させる、送信可能メロディ
再生処理を実行する。
【００６０】
つまり、着信音記憶部１４に登録される着信音データは、基本的には、自己の着信音を
発生するためのデータであり、着信音記憶部１４に記憶できるデータ量であればよいが、
発呼信号として送信可能なメールデータは、電話回線網側の規定によって制限され、その
上限は、着信音記憶部１４に記憶可能なデータ量よりも少ないことから、Ｓ３４０では、
着信音記憶部１４に記憶された着信音データの内、メールデータとして送信可能なメロデ
ィデータのみを用いてメロディを生成してスピーカ８を鳴動させることにより、電話回線
網を介して呼出先の電話装置に実際に送信されるメロディを再生するのである。
【００６１】
そして、続くＳ３５０では、使用者が操作部２の発信キーを操作して発信指令を入力し
たか否かを判断することにより、発信指令が入力されるのを待ち、発信指令が入力される
と、Ｓ３６０に移行して、上記Ｓ１８０と同様に、上記選択・表示・再生した着信音デー
タからメロディ送信データを作成する。また、続くＳ３７０では、上記Ｓ１９０と同様に
、電話番号にメロディ送信データを付与した発呼信号を生成し、この発呼信号を送受信部
１２から電話回線網に発信させる発呼処理を実行し、当該処理を終了する。尚、Ｓ３５０
における発信指令の待機中に、使用者が終了キーを操作すれば、そのまま当該処理を終了
する。
【００６２】
次に、図６は、携帯電話装置１の動作モードが通常モードであるときに、電話回線網の
基地局から当該装置に対して送信された呼出信号を送受信部１２が受信した際に実行され
る受信処理を表す。図６に示す如く、この処理が開始されると、まずＳ４１０にて、デコ
ーダ１０ｂを用いて、送受信部１２より入力される受信信号から、呼出信号に付与された
受信データをデコード（復元）し、続くＳ４２０にて、その受信データを受信データ記憶
部１６に保存する。尚、受信データ記憶部１６は、着信音記憶部１４と同様にメモりから
構成されており、デコードした受信データは、データ番号，受信した日時等と共に、受信
データ記憶部１６に格納される。また、受信データの保存時に受信データ記憶部１６の空
き領域が少ないときには、古い受信データや使用者が指定した受信データ等のデータ領域
に、今回受信した受信データが書き込まれる。
【００６３】
こうして受信データが受信データ記憶部１６に保存されると、続くＳ４３０にて、この
受信データには、メッセージデータ，メロディデータ，或いはメロディデータとメッセー
ジデータとからなるデータ等の、メールデータが含まれているか否かを判断する。また、
受信データにメールデータが含まれている場合には、続くＳ４４０にて、そのメールデー
タには、メロディデータが含まれているか否か（つまり、メールデータは、メロディデー
タ或いはメロディデータとメッセージデータとからなるデータであるか否か）を判断する
、データ付与判定手段としての処理を実行する。そして、メールデータにメロディデータ
が含まれている場合には、続くＳ４５０に移行し、表示部３に、着信案内と、メールデー
タに含まれるメッセージデータが表す受信メッセージとを、所定時間毎に交互に表示する
着信表示を行う。
【００６４】
尚、Ｓ４５０が行う着信表示は、本発明のメッセージ表示手段としての機能を実現する
処理であり、具体的には、例えば、受信データ記憶部１６に保存した受信データの内のメ
ールデータ以外のデータ、つまり、受信データを受信した日時と発呼者側の電話装置から
送信されてきた発呼者側の電話番号とを着信案内として１秒間表示し、次に、メールデー
タに含まれるメッセージデータが表す受信メッセージを１秒間表示する、といった手順で
実行される。またメールデータにメッセージデータが含まれていない場合（つまりメール
データがメロディデータのみの場合）は、メッセージなしを表示する。
【００６５】
そして、Ｓ４５０で表示部３に着信表示を行うと、続くＳ４６０にて、当該装置は、使
用者からの指令によって、着信音の変更許可が設定されているか否かを判断する。つまり
、本実施例の携帯電話装置１は、発呼者側の電話装置から送信されてきたメロディデータ
に従い着信音を変更する機能を有するが、使用者が着信音を変更したくないこともあるの
で、着信音の変更については、使用者が適宜設定できるようにされており、Ｓ４６０では
、着信音変更の可否を、既に設定されている動作データに基づき判定するのである。
【００６６】
そして、着信音の変更許可が設定されている場合には、続くＳ４７０に移行して、今回
受信したメールデータに含まれるメロディデータに従いメロディを生成して、スピーカ８
を鳴動させる、受信メロディ再生処理（着信音発生手段に相当）を実行し、続くＳ４８０
にて、通話処理を実行する。尚、Ｓ４８０では、発呼側の電話装置が電話回線網との接続
を遮断して、呼出信号の受信が停止されるか、使用者が当該装置を電話回線網に接続して
通話を行い、電話回線網との接続を遮断するまでの、一連の通話用の処理を行う。
【００６７】
次に、Ｓ４４０にて受信したメールデータにはメロディデータが含まれていないと判断
された場合、つまり、メールデータがメッセージデータのみである場合には、続くＳ４９
０に移行して、上記Ｓ４５０と同様に、表示部３に着信案内と受信メッセージとを交互に
表示し、続くＳ５００にて、予め設定されている標準着信音にて着信音を発生した後、Ｓ
４８０に移行し、上記通話処理を実行する。
【００６８】
また、Ｓ４３０にて受信データにはメールデータが含まれていないと判断された場合に
は、Ｓ５１０にて、受信日時と発呼者側の電話番号とからなる着信案内のみを表示部に表
示し、続くＳ５００にて、予め設定されている標準着信音にて着信音を発生した後、Ｓ４
８０に移行し、上記通話処理を実行する。
【００６９】
そして、Ｓ４８０の通話処理が終了すると、今度は、Ｓ５２０にて、再び、今回受信し
た受信データには、メールデータが含まれていたか否かを判定し、メールデータが含まれ
ていなければ、当該処理を終了する。また、受信データにメールデータが含まれていた場
合には、続くＳ５３０に移行して、表示部３に、今回メールデータを受信した旨を表す案
内（メール受信）を表示し、続くＳ５４０にて、所定の通知音をスピーカ８から発生させ
た後、当該処理を終了する。
【００７０】
次に、図７は、受信データ記憶部１６に保存された受信データを検索して、所望のメロ
ディデータを着信音データとして、着信音記憶部１４に登録する受信メロディ検索・登録
処理を表す。この処理は、本発明の受信データ検索手段及び受信データ登録手段としての
機能を有する処理であり、上記受信処理のＳ５３０にてメール受信を表示した状態が継続
している状態（換言すれば、図６の受信処理を実行した後、装置の動作モードが変更され
ていない状態）で、使用者により受信データ選択用のキーが操作されたとき、或いは、使
用者が操作部２に設けられた機能選択用のキーを操作して、当該装置の動作モードを受信
データの検索モードに設定したときに実行される。
【００７１】
そして、この処理が開始されると、まずＳ６１０にて、メロディデータが含まれる受信
データの選択画面を表示部３に表示し、使用者がその画面を見ながら、操作部２を操作し
て、所望の受信データのデータ番号を受信データ検索指令として入力するのを受け付ける
データ番号入力処理を実行する。そして、続くＳ６２０では、その入力されたデータ番号
の受信データ（受信日時・受信メッセージ等）を表示部３に表示し、続くＳ６３０にて、
受信データ中のメロディデータに従い受信メロディを再生する。
【００７２】
次に、Ｓ６４０では、使用者が操作部２の所定の機能キーを操作することにより、受信
データの再検索を指令したか否かを判断し、再検索の指令がなされた場合には、再度Ｓ６
１０〜Ｓ６３０の処理を実行する。また、Ｓ６４０にて、使用者から再検索の指令がなさ
れていないと判断されると、Ｓ６５０に移行して、今度は、使用者が操作部２の終了キー
を操作して当該処理の終了指令を入力したか否かを判定し、終了指令が入力された場合に
は、そのまま当該処理を終了する。
【００７３】
また、Ｓ６５０にて、使用者が終了指令を入力していないと判断されると、続くＳ６６
０に移行して、使用者が操作部２の所定の機能キーを操作することにより、受信データの
登録指令を入力したか否かを判断する。そして、受信データの登録指令が入力されていな
ければ、再度Ｓ６４０に移行し、受信データの登録指令が入力された場合には、Ｓ６７０
に移行して、Ｓ６３０の受信メロディ再生処理で再生したメロディデータを含む受信デー
タを、着信音データとして、着信音記憶部１４に登録し、当該処理を終了する。尚、着信
音記憶部１４への着信音データの登録は、上記Ｓ１７０と同様に実行される。
【００７４】
以上説明したように、本実施例の携帯電話装置１においては、呼出先の電話装置を呼び
出す発呼信号を発信する際、使用者が作曲して着信音記憶部１４に登録した着信音データ
を、メッセージデータとして、電話回線網に発信できる。このため、発呼時に、電話回線
網を介して、メロディデータ、又はメロディデータとメッセージデータとを、着呼者側の
電話装置に送信できる。また、電話回線網から送信されてくる呼出信号にメロディデータ
が含まれている場合には、そのメロディデータに応じた着信音を発生できる。
【００７５】
従って、上述のメール転送サービスを行う電話回線網において、本実施例の携帯電話装
置１を用いるようにすれば、発呼者が受呼者側の着信音を任意に設定できることになり、
着呼者側では、電話をかけてきた相手を、着信音から直感的に知ることができ、極めて使
い勝手のよい電話システムを構築できる。
【００７６】
また、本実施例の携帯電話装置１においては、発呼者側より受けたメールデータを受信
データ記憶部１６に記憶しておき、必要に応じて、その記憶した受信データの中から所望
のメロディデータを含む受信データを選択し、着信音記憶部１４に着信音データとして登
録できるので、自己の着信音を他の電話装置から受け取ったメロディに変更することがで
き、発呼者側より送信されてきたデータを有効利用することができる。
【００７７】
また、着信音データとして登録したデータは、発呼時に、呼出先の電話装置に送信でき
るので、例えば、グループ間でメッセージのみを送受信する際に、各電話装置の着信音を
共通にするといったこともでき、携帯電話装置１の利便性を向上できる。
【００７８】
以上、請求項１〜請求項６に記載の発明を適用した実施例の携帯電話装置１について説
明したが、請求項７〜請求項１０に記載の発明についても、上記実施例の携帯電話装置１
と略同様のハード構成を利用することにより、容易に実現できる。
【００７９】
そこで、次に、請求項７〜請求項１０に記載の発明を適用した実施例の携帯電話装置を
、本発明の第２実施例として説明する。まず請求項７〜請求項１０に記載の携帯電話装置
を実現する際には、上記実施例の携帯電話装置１において、図１に示したメールデータ送
信用のエンコーダ１０ａを、メールデータをＤＴＭＦ信号に変換して送受信部１２に出力
するように構成し、メールデータ受信用のデコーダ１０ｂを、送受信部１２から入力され
る受信信号に含まれるＤＴＭＦ信号からメールデータを復元するように構成する。そして
、制御部１０において実行するメールデータ送受信のための処理を図９に示す如く実行し
、更に、受信したメールデータの読出を図１０に示す如く実行する。
【００８０】
図９は、着信音記憶部１４に、図３に示した着信音データ作成処理と同様の手順で、送
信すべきメールデータ（メッセージデータ及びメロディデータ）が記憶されている場合に
、使用者が操作部２を操作してメールデータの自動送信指令を入力することにより実行さ
れるメール自動送信処理、及び、このメール自動送信処理に対応してメールを自動受信す
る際に実行されるメール自動受信処理を表すフローチャートである。
【００８１】
尚、この場合、着信音記憶部１４が、請求項７に記載のメッセージデータ記憶手段とし
て機能し、操作部２が、請求項７に記載の送信指令入力手段として機能し、図３に示した
着信音データ生成処理が、請求項７に記載のメロディデータ入力手段として機能すること
になる。また、メール自動受信処理は、携帯電話装置が、メールデータを自動受信するよ
うに、動作モードが使用者により設定されている場合に実行される処理である。
【００８２】
図９に示す如く、メール自動送信処理では、まずＳ７０５にて、電話回線網に対して、
メールデータを送信すべき他の携帯電話装置を呼び出す発呼信号を送信し、続くＳ７１０
にて、この発呼信号の送信により、電話回線網を介して、メールデータを送信すべき携帯
電話装置に接続されたか否かを判断することにより、回線が接続されるのを待つ。そして
、回線が接続されると、Ｓ７１５にて、着信音記憶部１４から、使用者が自動送信指令の
入力と同時に指定してきた送信用のメールデータを構成するメッセージデータを読み出し
、ＤＴＭＦ信号に変換して送信する。
【００８３】
一方、発呼側の携帯電話装置が送信した発呼信号に対応した着呼側の携帯電話装置では
、メール自動受信処理を実行することにより、まず、Ｓ８０５にて、電話回線網からの呼
出信号を受信したか否かを判断する。そして、呼出信号を受信できていなければ、再度Ｓ
８０５を実行することにより、呼出信号を受信するのを待ち、呼出信号を受信すると、当
該携帯電話装置を電話回線網に接続する。すると、発呼側の携帯電話装置は、上記Ｓ７１
５の処理により、メッセージデータを送信してくるので、続くＳ８１５にて、その後所定
時間経過する間に、メッセージデータを受信できたか否かを判断し、メッセージデータを
受信できなければ、何らかの異常があると判断して、Ｓ８６５にて電話回線を遮断し、当
該処理を終了する。
【００８４】
また、Ｓ８１５にて、メッセージデータを受信できたと判断すると、Ｓ８２０にて、こ
の受信したメッセージデータは正常であるかどうかを確認して、正常であれば、このメッ
セージデータを、メールデータ記憶手段（請求項８）としての受信データ記憶部１６に記
憶する、メッセージデータの保存処理を実行する。そして、続くＳ８２５では、メッセー
ジデータの受信状態（正常／異常）を表すメッセージ受信コードを、ＤＴＭＦ信号にて発
呼側の携帯電話装置に送信する。
【００８５】
すると、発呼側の携帯電話装置は、Ｓ７２０にて、このメッセージ受信コードを受信し
て、バッファ等に一時記憶し、続くＳ７２５にて、今度は、メールデータとして送信すべ
きメロディデータがあるか否かを判断する。そして、着呼側に送信すべきメロディデータ
がないと判断されると、Ｓ７５０に移行し、逆に着呼側に送信すべきメロディデータがあ
ると判断されると、Ｓ７３０に移行して、これからメロディデータを送信する旨を表すメ
ロディ有コードを、ＤＴＭＦ信号にて着呼側に送信する。
【００８６】
一方、着呼側の携帯電話装置は、Ｓ８２５でメッセージ受信コードを送信した後は、Ｓ
８３０にて、その後所定時間経過する間に、メロディ有コードを受信したか否かを判断し
、メロディ有コードを受信できなければ、Ｓ８６５に移行し、逆にメロディ有コードを受
信できた場合には、Ｓ８３５にて、メモリ容量の確認等により、現在、メロディデータの
受信が可能か否かを判断する。そして、メロディデータの受信ができない場合には、Ｓ８
６５に移行し、逆にメロディデータを受信できる場合には、Ｓ８４０にて、その旨を表す
受信可能コードを、ＤＴＭＦ信号にて発呼側の携帯電話装置に送信する。
【００８７】
このため、発呼側の携帯電話装置では、Ｓ７３０にてメロディ有コードを送信した後、
Ｓ７３５で、その後所定時間経過する間に、受信可能コードを受信したか否かを判断し、
受信可能コードを受信できなければ、Ｓ７５０に移行し、逆に、受信可能コードを受信で
きた場合には、Ｓ７４０に移行して、着呼側の携帯電話装置にメロディデータをＤＴＭＦ
信号にて送信する。
【００８８】
また、着呼側の携帯電話装置は、Ｓ８４０にて、受信可能コードを送信すると、続くＳ
８４５にて、メロディデータを受信したか否かを判断することにより、メロディデータの
受信が完了するのを待ち、メロディデータの受信が完了すると、Ｓ８５０に移行して、受
信したメロディデータは正常であるかどうかを確認して、正常であれば、メロディデータ
を受信データ記憶部１６に記憶する、メロディデータの保存処理を実行する。そして、続
くＳ８５５では、メロディデータの受信状態（正常／異常）を表すメロディ受信コードを
、ＤＴＭＦ信号にて発呼側の携帯電話装置に送信し、続くＳ８６０にて、上記Ｓ８１５〜
Ｓ８５５の一連のメールデータ受信処理によるメールデータの受信結果、つまり、メッセ
ージデータの受信正常／異常、及び、メロディデータの受信正常／異常、を表示部３に表
示し、Ｓ８６５に移行する。
【００８９】
また次に、発呼側の携帯電話装置では、Ｓ７４０にて、メロディデータを送信すると、
続くＳ７４５で、着呼側の携帯電話装置から送信されてくるメロディ受信コードを受信・
記憶する。そして、続くＳ７５０では、着呼側の携帯電話装置から送信されてきた各種コ
ードに基づき、メールデータの送信結果を判定し、その判定結果、つまり、メッセージデ
ータの送信正常／異常、及び、メロディデータの送信正常／異常を、表示部３に表示し、
続くＳ７５５にて、電話回線を切断した後、当該処理を終了する。
【００９０】
尚、図９に示したメール自動送信処理及びメール自動受信処理では、メールデータを送
信する携帯電話装置側にて、使用者が操作部２を介してメールデータの自動送信指令を入
力することにより、メールデータの送受信を開始するが、本実施例の携帯電話装置は、電
話回線網を介して他の携帯電話装置と接続されている通話中にも、各装置の使用者が、メ
ールデータの送信指令及び受信指令を入力することにより、メールデータの送受信を開始
する。そして、この場合のメールデータの送信処理では、図９に示したメール自動送信処
理のＳ７１５〜Ｓ７５０の処理を実行し、メールデータの受信処理では、図９に示したメ
ール自動受信処理のＳ８１５〜Ｓ８６０の処理を実行するようにされている。そして、各
処理が終了すると、使用者が通話可能な通話状態に戻る。
【００９１】
次に、図１０は、上記メール自動受信処理或いはメールデータの受信処理にてメールデ
ータを受信し、その受信したメールデータが受信データ記憶部１６に格納されているとき
に、使用者が操作部２を操作して、メールデータの読出指令を入力することにより実行さ
れるメッセージ読出処理である。尚、この場合、操作部２は、請求項８に記載の読出指令
入力手段として機能する。
【００９２】
図１０に示す如く、このメッセージ読出処理が開始されると、まずＳ９１０にて、受信
データ記憶部１６からメールデータ（受信メール）を読み出し、続くＳ９２０にてその読
み出したメールデータに含まれるメッセージデータに基づき、文字列からなるメッセージ
を表示部３に表示する、メールデータ読出手段（請求項８）としての処理を実行する。
【００９３】
そして、続くＳ９３０では、Ｓ９１０で読み出したメールデータに、メロディデータが
含まれるか否かを判断する、受信データ判定手段（請求項８）としての処理を実行し、メ
ールデータにメロディデータが含まれない場合には、そのまま当該処理を終了する。
【００９４】
一方、Ｓ９３０にて、上記読み出したメールデータにメロディデータが含まれると判断
された場合には、Ｓ９４０にて、そのメロディデータに基づきメロディを再生するための
音声信号を生成し、これをスピーカ８に出力することにより、スピーカ８からメロディを
発生させる、メロディ再生手段（請求項８）としての処理を実行し、当該処理を終了する
。
【００９５】
以上説明したように、第２実施例の携帯電話装置によれば、メールデータの送信を発呼
時だけでなく、通話中にも行うことができる。また、メールデータを受信した際には、着
信音を発生することなく、メールデータを受信データ記憶部１６に記憶しておき、その後
使用者がメールデータの読出指令を入力したときに、メールデータを構成するメッセージ
データを表示し、また、メールデータにメロディデータが含まれている場合には、そのメ
ロディデータに従いスピーカ８を鳴動させて、メロディを再生するようにされている。
【００９６】
このため、本実施例の携帯電話装置によれば、メールデータの送信側使用者と受信側使
用者とが、通話によってメールデータの送受信を打ち合わせた上で、メールデータを送受
信させることもできるし、メールデータの送信側使用者が勝手にメールデータを送信した
場合であっても、受信側で不用意に着信音が鳴るのを防止することもできる。よって、本
実施例の携帯電話装置においても、メールデータの送受信機能を有効に利用することがで
きる。
【００９７】
また特に、本実施例の携帯電話装置によれば、メールデータの送受信及びこれに伴う各
種コードを送受信を、全て、ＤＴＭＦ信号を用いて行うようにしているので、メールデー
タの送受信に使用する電話回線網に制限はなく、どのような電話回線網であってもメール
データを送受信することが可能になる。
【００９８】
以上、本発明の一実施例について説明したが、本発明は上記実施例に限定されるもので
はなく、種々の態様を採ることができる。例えば、上記２つの実施例の携帯電話装置では
、メールデータの送受信のタイミングや、受信したメロディデータによるメロディの再生
タイミング等が異なるが、これら各装置の機能は、夫々、有効であるため、上記各実施例
の電話装置の機能を一つの電話装置に持たせ、その機能を使用者が必要に応じて選択でき
るように構成してもよい。
【００９９】
また、例えば上記実施例では、着信音データは、操作部２を操作することにより入力す
るものとして説明したが、上記携帯電話装置１には、外部のコンピュータ等からデータを
直接入力可能なＩ／Ｆ部１８が備えられているので、このＩ／Ｆ部１８を介して、着信音
データを入力するようにしてもよい。
【図面の簡単な説明】
【０１００】
【図１】携帯電話装置の回路構成を表すブロック図である。
【図２】携帯電話装置を操作部側から見た外観図である。
【図３】着信音データ作成処理を表すフローチャートである。
【図４】着信音再生・変更処理を表すフローチャートである。
【図５】メロディ送信処理を表すフローチャートである。
【図６】受信処理を表すフローチャートである。
【図７】受信メロディ検索・登録処理を表すフローチャートである。
【図８】メロディ送信データのデータ構造を表す説明図である。
【図９】第２実施例の携帯電話装置にて実行されるメール自動送信処理及び受信処理を表すフローチャートである。
【図１０】同じくメッセージ読出処理を表すフローチャートである。
【符号の説明】
【０１０１】
２…操作部，３…表示部．４…スピーカ（通話用），５…マイクロフォン，６…アンテ
ナ，８…スピーカ（呼出用），１０…制御部，１０ａ…エンコーダ，１０ｂ…デコーダ，
１２…送受信部，１４…着信音記憶部，１６…受信データ記憶部，１８…Ｉ／Ｆ部。
【図１】
2009050028.tif 000003
【図２】
2009050028.tif 000004
【図３】
2009050028.tif 000005
【図４】
2009050028.tif 000006
【図５】
2009050028.tif 000007
【図６】
2009050028.tif 000008
【図７】
2009050028.tif 000009
【図８】
2009050028.tif 000010
【図９】
2009050028.tif 000011
【図１０】
2009050028.tif 000012
【手続補正書】
【提出日】平成20年12月1日(2008.12.1)
【手続補正１】
【補正対象書類名】特許請求の範囲
【補正対象項目名】全文
【補正方法】変更
【補正の内容】
【特許請求の範囲】
【請求項１】
他の装置からメールデータを受信する受信手段と、
前記受信手段によりメールデータを受信したことを示す受信表示を行う受信表示手段と、
前記受信手段により受信された複数のメールデータを記憶する記憶手段と、
前記記憶手段に記憶された複数のメールデータに関する情報を表示する表示手段と、
前記記憶手段に記憶された複数のメールデータから１つのメールデータを選択する選択手段と、
前記選択手段により選択されたメールデータがメロディデータを含むとき、前記メロディデータを再生する再生手段と、を備え、
前記表示手段は、前記受信手段により受信したメロディデータに異常があるとき異常がある旨の表示を行うことを特徴とする携帯電話装置。
【請求項２】
請求項１に記載の携帯電話装置は、前記受信手段により受信したメロディデータに異常があるとき、受信したメロディデータに異常があることを示す受信コードを前記他の装置に送信する送信手段を備えていることを特徴とする携帯電話装置。
【手続補正３】
【補正対象書類名】明細書
【補正対象項目名】０００６
【補正方法】変更
【補正の内容】
【０００６】
本発明は、メールデータを送受信可能な携帯電話装置において、メールデータの送受信機能を利用できるようにすることで、携帯電話装置の使い勝手を向上することを目的とする。
【手続補正４】
【補正対象書類名】明細書
【補正対象項目名】０００７
【補正方法】変更
【補正の内容】
【０００７】
本発明にかかる携帯電話装置は、他の装置からメールデータを受信する受信手段と、前記受信手段によりメールデータを受信したことを示す受信表示を行う受信表示手段と、前記受信手段により受信された複数のメールデータを記憶する記憶手段と、前記記憶手段に記憶された複数のメールデータに関する情報を表示する表示手段と、前記記憶手段に記憶された複数のメールデータから１つのメールデータを選択する選択手段と、前記選択手段により選択されたメールデータがメロディデータを含むとき、前記メロディデータを再生する再生手段と、を備え、前記表示手段は、前記受信手段により受信したメロディデータに異常があるとき異常がある旨の表示を行う。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】削除
【補正の内容】
【手続補正３４】
【補正対象書類名】明細書
【補正対象項目名】００３７
【補正方法】削除
【補正の内容】
【手続補正３５】
【補正対象書類名】明細書
【補正対象項目名】００３８
【補正方法】削除
【補正の内容】
【手続補正３６】
【補正対象書類名】明細書
【補正対象項目名】００３９
【補正方法】削除
【補正の内容】